(57)【要約】【課題】  確実に未塗着塗料を捕集することができる塗装ブースの未塗着塗料分離装置を提供する。【解決手段】  塗装ブース４の未塗着塗料分離装置において、捕集室１１に配設されたオーバフロー槽１９，２０と、オーバフロー槽１９，２０からオーバフローした捕集水を案内する２つの第１フロープレート２１，２２と、前傾角を第１フロープレート２１，２２の前傾角よりも大きくした２つの第２フロープレート２５，２６と、２つの第１フロープレー２１，２２トの間に形成された第１ベンチュリー２７と、２つの第２フロープレート２５，２６の間に形成された第２ベンチュリー２８と、一方の第２フロープレート２５の先端に連設された微粒化室３６と、他方の第２フロープレート２６の先端から延出された傾斜板３１と、捕集室１１の底部に溜まった捕集水５０をオーバフロー槽１９，２０に還流させる給水ポンプ４２を備えた。【選択図】        図２
2011041927.tif 000002
【特許請求の範囲】
【請求項１】
塗装室の内部を流下する気流を、塗装室の下方に設けた捕集室で捕集水に接触させることにより、その気流中に含まれる未塗着塗料を捕集する塗装ブースの未塗着塗料分離装置において、捕集室の両側に配設されたオーバフロー槽と、このオーバフロー槽に基端部が接続されオーバフロー槽からオーバフローした捕集水を案内する前下がりに配設された２つの第１フロープレートと、この第１フロープレートに基端部が接続され前傾角を第１フロープレートの前傾角よりも大きくして配設された２つの第２フロープレートと、前記２つの第１フロープレートの間に形成された第１ベンチュリーと、前記２つの第２フロープレートの間に形成された第２ベンチュリーと、一方の第２フロープレートの先端に連設された微粒化室と、この微粒化室に臨む他方の第２フロープレートの先端から延出された傾斜板と、捕集室の底部に溜まった捕集水を前記オーバフロー槽に還流させる給水ポンプを備え、前記微粒化室は、一方の第２フロープレートの先端と前記傾斜板とで形成される導入孔と、前記傾斜板の下方に形成される排出孔を有することを特徴とする塗装ブースの未塗着塗料分離装置。
【発明の詳細な説明】
【技術分野】
【０００１】
本発明は、塗装室の内部を流下する気流を捕集室で捕集水に接触させることにより、その気流に含まれる未塗着塗料を捕集する塗装ブースの未塗着塗料分離装置に関する。
【背景技術】
【０００２】
従来の未塗着塗料分離装置としては、ベンチュリー部の内部に、更にプレベンチュリー部を設け、塗装室の未塗着塗料を捕集する捕集水を２回に分けて微粒化し、捕集効率を高める技術が開示されている（例えば、特許文献１参照）。
【先行技術文献】
【特許文献】
【０００３】
【特許文献１】実開平４−１０６６６８号公報
【発明の概要】
【発明が解決しようとする課題】
【０００４】
しかし、特許文献１に記載の技術においては、ベンチュリー部の内部にプレベンチュリー部を配設する構成としているため、プレベンチュリー部の容積が小さくなり、給水桶から捕集水を導くフロープレートに沿ってプレベンチュリー部内に流下する水量が多過ぎると、微粒化が困難になって捕集効率が低下する。これを解消するには、塗装室の下方に連通する排気ファンの吸引力を高める必要がありコスト高になってしまう。また、水量が少な過ぎると、フロープレートの全面及びプレベンチュリー部の周壁に捕集水膜を形成することが困難になり、未塗着塗料の捕集効率を低下させる不具合が発生する。
【０００５】
本発明は、従来の技術が有するこのような問題点に鑑みてなされたものであり、その目的とするところは、未塗着塗料の捕集効率を低下させることなく、確実に未塗着塗料を捕集することができる塗装ブースの未塗着塗料分離装置を提供しようとするものである。
【課題を解決するための手段】
【０００６】
上記課題を解決すべく請求項１に係る発明は、塗装室の内部を流下する気流を、塗装室の下方に設けた捕集室で捕集水に接触させることにより、その気流中に含まれる未塗着塗料を捕集する塗装ブースの未塗着塗料分離装置において、捕集室の両側に配設されたオーバフロー槽と、このオーバフロー槽に基端部が接続されオーバフロー槽からオーバフローした捕集水を案内する前下がりに配設された２つの第１フロープレートと、この第１フロープレートに基端部が接続され前傾角を第１フロープレートの前傾角よりも大きくして配設された２つの第２フロープレートと、前記２つの第１フロープレートの間に形成された第１ベンチュリーと、前記２つの第２フロープレートの間に形成された第２ベンチュリーと、一方の第２フロープレートの先端に連設された微粒化室と、この微粒化室に臨む他方の第２フロープレートの先端から延出された傾斜板と、捕集室の底部に溜まった捕集水を前記オーバフロー槽に還流させる給水ポンプを備え、前記微粒化室は、一方の第２フロープレートの先端と前記傾斜板とで形成される導入孔と、前記傾斜板の下方に形成される排出孔を有するものである。
【発明の効果】
【０００７】
本発明によれば、第１フロープレート、第２フロープレート、第１ベンチュリー、第２ベンチュリー、微粒化室、傾斜板などを備えたことにより、捕集水に乱流が発生し、捕集水の微粒化が促進され、流下する気流中に含まれる未塗着塗料を確実に捕集して、未塗着塗料の捕集効率を向上させることができる。
【図面の簡単な説明】
【０００８】
【図１】本発明に係る塗装ブースの未塗着塗料分離装置の横断面図
【図２】図１の要部拡大図
【図３】本発明に係る塗装ブースの未塗着塗料分離装置の作用説明図
【発明を実施するための形態】
【０００９】
以下に本発明の実施の形態を添付図面に基づいて説明する。本発明に係る塗装ブースの未塗着塗料分離装置は、図１及び図２に示すように、上壁１、下壁２及び左右の側壁３によりトンネル形状に形成された塗装ブース４に設置されている。塗装ブース４の内部は、パンチングメタル５、フィルタ６及びスノコ７により上下４室に仕切られ、上壁１とパンチングメタル５と左右の側壁３で動圧室８を、パンチングメタル５とフィルタ６と左右の側壁３で静圧室９を、フィルタ６とスノコ７と左右の側壁３で塗装室１０を、スノコ７と下壁２と左右の側壁３で捕集室１１を、夫々形成している。下壁２の中央部には、凹形状の貯水槽１２が設けられている。
【００１０】
塗装室１０の左右の側壁３で挟まれるスノコ７の中央部には、搬送コンベア１３が敷設され、この搬送コンベア１３に被塗装物Ｗを載置して図１の紙面垂直方向に搬送する搬送台車１４が係合している。搬送コンベア１３を挟んで左右両側には、搬送台車１４により搬送されてくる被塗装物Ｗをスプレーガン１５で塗装を施す複数の塗装ロボット１６が設置されている。
【００１１】
塗装ブース４の上壁１には、ブロア１７に接続された供給ダクト１８が開口し、この供給ダクト１８から動圧室８に供給された空気は、パンチングメタル５を通過することで下向きの滑らかな気流に整流されて静圧室９に供給され、更にフィルタ６を通過することで塵芥が除去された清浄な気流となって塗装室１０に供給される。
【００１２】
また、捕集室１１の左側壁３側には、第１オーバフロー槽１９が設けられ、右側壁３側には、第２オーバフロー槽２０が設けられている。２つのオーバフロー槽１９，２０の下端部からは、捕集室１１の中央に向けて前下がりで比較的緩やかに傾斜した第１フロープレート２１，２２が延設している。更に、一方の第１フロープレート２１の下面から下方垂直方向に延設して貯水槽１２の側壁に接続する第１支持プレート２３と、他方の第１フロープレート２２の下面から下方垂直方向に延設して貯水槽１２の側壁に接続する第２支持プレート２４が配設されている。
【００１３】
２つの第１フロープレート２１，２２の先端部から、夫々捕集室１１の中央に向けて前下がりで第１フロープレート２１，２２に比してより急傾斜した第２フロープレート２５，２６が延設されている。そして、２つの第１フロープレート２１，２２により一段目の第１ベンチュリー部２７が形成され、また２つの第２フロープレート２５，２６により二段目の第２ベンチュリー部２８が形成される。
【００１４】
一方の第２フロープレート２５の先端部から、垂直プレート２９が延設され、この垂直プレート２９の先端と第１支持プレート２３の間に水平プレート３０が配設されている。また、水平プレート３０の下面端部には、捕集室１１の中央に向けて若干前下がりの傾斜板３１が設けられている。他方の第２フロープレート２６の先端部には、捕集室１１の中央から離れる方向に前下がりに傾斜したガイドプレート３２が設けられている。ガイドプレート３２と第２支持プレート２４の間に上壁プレート３３が配設されている。
【００１５】
第２支持プレート２４の上壁プレート３３より下方には、捕集室１１の中央に向かう下壁プレート３４が設けられ、下壁プレート３４の先端部と傾斜板３１の下面との間に側壁プレート３５が配設されている。そして、上壁プレート３３、第２支持プレート２４、下壁プレート３４、側壁プレート３５により、微粒化室３６が形成される。傾斜板３１の先端は、少なくとも微粒化室３６の内部に位置するように構成されている。
【００１６】
微粒化室３６は、上壁プレート３３と傾斜板３１の間に形成された導入孔３７と、側壁プレート３５に形成された排出孔３８を有する。また、微粒化室３６には、下壁プレート３４などによる第３オーバフロー槽３９が形成されている。微粒化室３６の中から排出孔３８を通り抜けると、前方に水平プレート３０と第１支持プレート２３によって隅角部４０が形成されている。
【００１７】
捕集水が溜まる貯水槽１２の底部と２つのオーバフロー槽１９，２０は、給水管４１を介して給水ポンプ４２とフィルタ４３に接続され、貯水槽１２に溜まった捕集水は給水ポンプ４２により２つのオーバフロー槽１９，２０に還流する。右側壁３には、第２支持プレート２４に開口された排気孔４４により捕集室１１と連通する分離室４５が設けられ、この分離室４５は排気ファン４６を途中に備える排気ダクト４７により大気と連通するように形成されている。また、分離室４５には、第２支持プレート２４から右側壁３に向けて上方に傾斜する複数のエリミネータ４８が配設されている。
【００１８】
以上のように構成された本発明に係る塗装ブースの未塗着塗料分離装置の作用について説明する。搬送台車１４に載置され搬送されてくる被塗装物Ｗは、塗装室１０において複数の塗装ロボット１６に装着されたスプレーガン１５により塗装が施される。この時、供給ダクト１８から供給され、動圧室８及び静圧室９を通過した空気は、清浄且つ滑らかな下向きの気流に整流されて塗装室１０に供給される。そして、塗装室１０に供給された空気は、塗装室１０に漂う未塗着塗料と共に、スノコ７の隙間を通過して捕集室１１に流入する。
【００１９】
捕集室１１では、図３に示すように、給水ポンプ４１により貯水槽１２から２つのオーバフロー槽１９，２０に供給された捕集水５０がオーバフローして第１フロープレート２１，２２の表面を流れ、捕集水５０に未塗着塗料が接触することによって未塗着塗料の一部が捕集される。また、２つの第１フロープレート２１，２２により形成された一段目の第１ベンチュリー部２７により、塗装室１０から流下する下向きの気流５１の流速が加速され、これに伴って２つの第１フロープレート２１，２２の表面を流下する捕集水５０に前記気流５１が斜め下方に向けて衝突する。その結果、捕集水５０に乱流が発生し、捕集水５０の微粒化が促進され、流下する気流５１中に含まれる未塗着塗料が更に捕集される。
【００２０】
次いで、２つの第２フロープレート２５，２６により形成された二段目の第２ベンチュリー部２８により、一段目の第１ベンチュリー部２７を通過した気流５１の流速が加速され、これに伴って２つの第２フロープレート２５，２６の表面を流下する捕集水５０が二段目の第２ベンチュリー部２８の軸線方向下方へ吸引誘導される。すると、２つの第２フロープレート２５，２６の表面を流下する捕集水５０が互いに衝突して微粒化が促進され、流下する気流５１中に含まれる未塗着塗料が更に捕集される。
【００２１】
次いで、微粒化が促進された捕集水５０は、導入孔３７から微粒化室３６に導かれ、微粒化室３６を形成する第２支持プレート２４に衝突して更に微粒化され、流下する気流５１中に含まれる未塗着塗料が更に捕集される。そして、霧化された捕集水５０は、排出孔３８より噴霧流として吐出され、流下する気流５１中に含まれる未塗着塗料が更に捕集される。
【００２２】
そして、前記噴霧流は前方の隅角部４０を形成する水平プレート３０と第１支持プレート２３に衝突して、一部は捕集水５０の水膜となって第１支持プレート２３を流下し、貯水槽１２に貯留される。この流下する捕集水５０に噴霧流中に浮遊する未塗着塗料が更に捕集される。また、一部は噴霧流となって捕集室１１の下方部分に拡散し、気流５１中に未だ浮遊する未塗着塗料を捕集する。
【００２３】
また、微粒化室３６内に存在する一部の微粒化された捕集水５０は、水膜となって第２支持プレート２４を流下して、微粒化室３６の第３オーバフロー槽３９に貯留される。この流下の過程で気流５１中に含まれる未塗着塗料が更に捕集される。そして、第３オーバフロー槽３９からオーバフローした捕集水５０は、排出孔３８から水膜となって貯水槽１２に落下する。この水膜により噴霧流中に浮遊する未塗着塗料が更に捕集される。
【００２４】
このようにして、未塗着塗料を捕集した微粒化捕集水を含む気流５１は、第２支持プレート２４に開口された排気孔４４を通って分離室４５に移動し、分離室４５に配設された複数のエリミネータ４８により微粒化捕集水と空気に分離され、分離された捕集水５０は、貯水槽１２に貯留される。一方、分離された空気は、分離室４５から排気ファン４６を途中に備える排気ダクト４７により大気に放出される。この時、前記空気中には未塗着塗料粒子が含まれず、清浄な空気となって放出される。
【産業上の利用可能性】
【００２５】
本発明によれば、塗装ブースにおける塗装により発生する気流中に含まれる未塗着塗料を確実に捕集することができる塗装ブースの未塗着塗料分離装置を提供する。
【符号の説明】
【００２６】
１…上壁、２…下壁、３…左右の側壁、４…塗装ブース、５…パンチングメタル、６…フィルタ、７…スノコ、８…動圧室、９…静圧室、１０…塗装室、１１…捕集室、１２…貯水槽、１９…第１オーバフロー槽、２０…第２オーバフロー槽、２１，２２…第１フロープレート、２３…第１支持プレート、２４…第２支持プレート、２５，２６…第２フロープレート、２７…第１ベンチュリー部、２８…第２ベンチュリー部、３１…傾斜板、３６…微粒化室、３７…導入孔、３８…排出孔、４２…給水ポンプ、５０…捕集水、５１…気流、Ｗ…被塗装物。
【図１】
2011041927.tif 000003
【図２】
2011041927.tif 000004
【図３】
2011041927.tif 000005